(57)【要約】【課題】開孔間の梁の一部に応力が集中せずに、簡易な転圧や均し作業に利用することのできるスケルトンバケットを提供する。【解決手段】様々な大きさの土砂や夾雑物をバケット本体11にすくいながら、大きさに応じて土砂や夾雑物をバケット本体11で篩い分けすることのできるスケルトンバケット１において、バケット本体11は、底板12に複数の正六角形の開孔13を同じ向きに揃えて前記開孔13,13間の梁14が同幅となるように並べたスケルトンバケット１である。【選択図】図１
2009215735.tif 000002
【特許請求の範囲】
【請求項１】
様々な大きさの土砂や夾雑物をバケット本体にすくいながら、大きさに応じて土砂や夾雑物をバケット本体で篩い分けすることのできるスケルトンバケットにおいて、バケット本体は、底板に複数の六角形の開孔を同じ向きに揃えて前記開孔間の梁が同幅となるように並べたことを特徴とするスケルトンバケット。
【請求項２】
バケット本体は、前後方向に湾曲した底板に複数の六角形の開孔を同じ向きに揃えて並べた請求項１記載のスケルトンバケット。
【請求項３】
バケット本体は、底板の側縁部に沿って並ぶ複数の開孔を、前記側縁部に平行かつ一直線状に延びる区画周縁で区切った変形多角形にした請求項１又は２いずれか記載のスケルトンバケット。
【請求項４】
バケット本体は、底板の前縁部又は後縁部に沿って並ぶ複数の開孔を、前記前縁部又は後縁部に平行かつ一直線状に延びる区画周縁で区切った変形多角形にした請求項１〜３いずれか記載のスケルトンバケット。
【発明の詳細な説明】
【技術分野】
【０００１】
本発明は、様々な大きさの土砂や夾雑物をバケット本体にすくいながら、大きさに応じて土砂や夾雑物をバケット本体で篩い分けすることのできるスケルトンバケットに関する。
【背景技術】
【０００２】
様々な大きさの土砂や夾雑物（根茎、岩石又はコンクリートブロック等）をバケット本体にすくいながら、大きさに応じて土砂や夾雑物をバケット本体で篩い分けすることのできるスケルトンバケットは、例えば特許文献１に見られるように、バケット本体の底板や側板に多数の開孔を設けた構成が知られている。こうしたスケルトンバケットは、様々な大きさの土砂や夾雑物をバケット本体にすくいながら、前記バケット本体を小刻みに揺すって、大きさが開孔以下の土砂や夾雑物を底板や側板の開孔から落下させ、バケット本体に開孔より大きな土砂や夾雑物のみを残すことにより、大きさに応じて土砂や夾雑物を篩い分けする。
【０００３】
【特許文献１】特開2007-224539号公報
【発明の開示】
【発明が解決しようとする課題】
【０００４】
特許文献１が開示するスケルトンバケットは、開孔がすべて円孔である。しかし、円孔である開孔は、開孔間に残る梁の幅が細くなったり、太くなったりするため、相対的に細い幅の梁に応力が集中し、開孔を設けたバケット本体の底板又は側板が変形する可能性がある。これは、スケルトンバケットを利用して、バケット本体の底板で掘削場所を押さえつける簡易の転圧（展圧とも言う。）や均し作業をした場合、バケット本体の底板を変形させ、最悪破損させる可能性があるという形で問題となる。そこで、こうした細い梁に応力が集中せずに、簡易な転圧や均し作業に利用することのできるスケルトンバケットを開発するべく、検討した。
【課題を解決するための手段】
【０００５】
検討の結果開発したものが、様々な大きさの土砂や夾雑物をバケット本体にすくいながら、大きさに応じて土砂や夾雑物をバケット本体で篩い分けすることのできるスケルトンバケットにおいて、バケット本体は、底板に複数の六角形の開孔を同じ向きに揃えて前記開孔間の梁が同幅となるように並べたスケルトンバケットである。六角形の開孔は、それぞれの角を前後方向に揃えて並べる、又はそれぞれの角を左右方向に揃えて並べるとよい。ここに言う「前後方向」は、建設機械のアーム及びブームの屈曲方向を、また「左右方向」は前記屈曲方向に直交する方向を意味する。このほか、六角形の開孔の大きさや個数、底板や側板の厚みは、底板に要求される剛性や土砂や夾雑物の篩い分けの程度等を勘案し、適宜決定する。
【０００６】
本発明のスケルトンバケットは、バケット本体の底板に六角形の開孔を並べ、開孔間に形成される梁を同幅にしている。これにより、スケルトンバケットを転圧や均し作業に利用する際、特定の梁に応力集中させることなく、バケット本体の底板の変形を防止できる。また、同幅の梁で済むことは、円孔の開孔を並べた同種スケルトンバケットに比べて重量軽減に寄与するから、本発明のスケルトンバケットは軽量化され、それだけ建設機械がスケルトンバケットを動かすための燃料が節約され、排気ガスを低減できる。
【０００７】
ここで、バケット本体は、前後方向に湾曲した底板に複数の六角形の開孔を同じ向きに揃えて並べた構成にしたり、更に前記前後方向に湾曲した底板の湾曲形状に倣った湾曲縁を前記底板の左右側縁部それぞれに直交して左右一対の側板を突き当てる構成にすると、バケット本体の底板の剛性が高くなり、スケルトンバケットを転圧や均し作業に利用する際にバケット本体の底板の変形を防止できる。この場合、バケット本体の側板に開孔を設けないことで、前記側板を突き当てる底板の剛性を向上させている。
【０００８】
ここで、底板に並べられた開孔は六角形であるため、側縁部に沿って並ぶ左右両側の開孔の前記側縁部に最も近い周縁を仮想的に結ぶとジグザグに蛇行する。これは、各開孔の周縁と側縁部との距離が変化し、前記距離の短い部分で応力集中が起きる可能性があることを意味する。これから、バケット本体は、底板の側縁部に沿って並ぶ複数の開孔を、前記側縁部に平行かつ一直線状に延びる区画周縁で区切った変形多角形にするとよい。ここで、「変形多角形」とは正多角形の対義語として、ある向きで左右非対称となる多角形を意味する。
【０００９】
また、上述のように、各開孔の周縁と前記底板の前縁部又は後縁部との距離が変化すると、前記距離の短い部分で応力集中が起きる可能性がある。そこで、バケット本体は、底板の前縁部又は後縁部に沿って並ぶ複数の開孔を、前記前縁部又は後縁部に平行かつ一直線状に延びる区画周縁で区切った変形多角形にするとよい。ここにいう「変形多角形」も上述と同義であるが、側縁部、前縁部又は後縁部に沿って並ぶ開孔のいずれもが同じ形状であることを意味しない。
【発明の効果】
【００１０】
本発明のスケルトンバケットは、応力の集中する梁を形成することなく、また底板全体の剛性を高めているため、簡易な転圧や均し作業に利用してもバケット本体の底板を変形させることがなく、従来同種のスケルトンバケットに比べて利用範囲を拡充することができる。これは、バケット本体の底板に並べる開孔を六角形とし、開孔間に形成される梁を同幅にしたこと、また前記底板を湾曲させてバケット本体を構成したり、更に側板を前記底板に対して突き当てて組み付けてバケット本体を構成したことにより、バケット本体の底板の剛性が高められたことによる効果である。更に、底板の側縁部、前縁部又は後縁部に平行な区画周縁で区切られた変形多角形の開孔を形成すれば、側縁部、前縁部又は後縁部における剛性の低下がなくなり、全体にわたってバケット本体の底板の剛性を高めることができる。
【発明を実施するための最良の形態】
【００１１】
以下、本発明の実施形態について図を参照しながら説明する。図1は本発明の一例であるスケルトンバケット１を建設機械のアームに装着した使用状態を表した斜視図、図２は本例の正面図、図３は本例の平面図、図４は本例の底面図、図５は本例の背面図、図６は本例の左側面図、図７は本例と開孔23の向きが異なる別例のスケルトンバケット２の図2相当正面図、図８は別例の図３相当平面図、図９は別例の図３相当底面図であり、そして図10は別例の図４相当背面図である。本例の右側面図は、左側面図と同様に表れるため、省略している。また、別例の左側面図及び右側面図は、本例の左側面図と同様に表れるため、省略している。
【００１２】
本例のスケルトンバケット１は、図１に見られるように、バケット本体11の底板12の後縁部から連続したブラケット取付板161に、取付補助板162と共に連結ブラケット16が取り付けられ、前記連結ブラケット16に建設機械のアーム３の先端と、前記アーム３に取り付けられたバケットシリンダ（図示略）のロッド32又は前記ロッド32から延長された連結リンク31とを連結して、アーム３に対して前後方向に首振りするように動作される。これにより、様々な大きさの土砂や夾雑物をバケット本体11にすくいながら、バケット本体11の首振り運動やアームの屈曲運動等を利用して、大きさに応じて土砂や夾雑物をバケット本体11で篩い分けする。こうした篩い分け機能は、従来同種のスケルトンバケットと代わりがない。
【００１３】
本例のバケット本体11は、図２〜図６に見られるように、首振りする前後方向に湾曲した底板12と、底板12の湾曲形状に倣った湾曲縁151を前記底板12の左右側縁部121,121それぞれに直交して組み付けた左右一対の側板15とから構成される。また、本例のスケルトンバケット１は、側板15に開孔を設けていない。底板12の前縁部122には、厚みのある板材から構成される爪取付板171が取付られ、前記爪取付板171に掘削用の爪17が取り付けられている。また、同じく底板12の後縁部123にはブラケット取付板161を接続した上で、前記ブラケット取付板161に取付補助板162と共に連結ブラケット16が取り付けられている。ブラケット取付板161は、連結ブラケット16の取付代を稼ぐ目的がある。
【００１４】
底板12は、複数の正六角形の開孔13の各角を前後方向に揃えて並べている。側縁部121に沿って並ぶ開孔19は、側縁部121に平行な区画周縁191で区切られた変形多角形である。区画周縁191は、元の周縁とほぼ変らない位置に前記元の周縁と同じく側縁部121に沿って延びているため、各図中に図示される開孔18は基本的な開孔13と外観上ほとんど変らない。また、前縁部122又は後縁部123に沿って並ぶ開孔18は、平行な区画周縁181で区切られた変形多角形である。区画周縁181は、左右対称に斜めに延びる周縁を胯ぐように設けられるため、各図中に図示される開孔18は基本的な開孔13の角を切り欠いた変形七角形に見える。
【００１５】
開孔13は、各角を前後方向に揃えて並んでおり、開孔13,13間の梁14を同幅にしている。正六角形の開孔13の大きさや個数、底板12や側板15の厚みは、底板12に要求される剛性や土砂や夾雑物の篩い分けの程度等を勘案し、適宜決定すればよいが、これらの仕様が変っても、梁14が同幅であれば、梁14に加わる負荷は等しくなる。これにより、本例のスケルトンバケット１を利用して、転圧や均し作業をする場合、底板12全体に荷重が均等に分散するため、梁14を中心とした底板12の変形や破損が防止できる。
【００１６】
別例のスケルトンバケット２は、上記例示（図１〜図６参照）と外観及び構成はほぼ同じであり、ただ底板12に並べる開孔23の向きが各角を左右方向に揃えている点のみが異なる。すなわち、バケット本体21は、図７〜図10に見られるように、前後方向に湾曲した底板22と、湾曲縁251を前記底板22の左右側縁部221,221それぞれに直交して組み付けた左右一対の側板25とから構成される。また、別例のバケット本体21も、底板22の前縁部222に接続された爪取付板271に掘削用の爪27が取り付けられ、底板22の後縁部223に接続されたブラケット取付板261に取付補助板262と共に連結ブラケット26が取り付けられている。
【００１７】
複数の正六角形の開孔23は、各角が左右方向に揃えて底板22に並べられ、各開孔23,23間の梁24を同幅にしている。底板22全体の剛性は、梁24が同幅であることにより高められるので、開孔23の向きは関係ない。しかし、上記例示の開孔13から90度回転した開孔23であることから、側縁部221に沿って並ぶ開孔29や前縁部222又は後縁部223に沿って並ぶ開孔28は、上記例示の開孔19と開孔18とが入れ替わった関係になっている。すなわち、側縁部121に沿って並ぶ開孔29は、前後対称に斜めに延びる周縁を胯ぐ区画周縁291に区切られるるため、各図中に図示される開孔28は基本的な開孔23の角を切り欠いた変形七角形に見える。また、前縁部222又は後縁部223に沿って並ぶ開孔28は、側縁部121に平行な区画周縁181で区切られるため、基本的な開孔13と外観上ほとんど変らない。
【図面の簡単な説明】
【００１８】
【図１】本発明の一例であるスケルトンバケットを建設機械のアームに装着した使用状態を表した斜視図である。
【図２】本例の正面図である。
【図３】本例の平面図である。
【図４】本例の底面図である。
【図５】本例の背面図である。
【図６】本例の左側面図である。
【図７】本例と開孔の向きが異なる別例のスケルトンバケットの図2相当正面図である。
【図８】別例の図３相当平面図である。
【図９】別例の図３相当底面図である。
【図１０】別例の図４相当背面図である。
【符号の説明】
【００１９】
１  スケルトンバケット
11  バケット本体
12  底板
13  開孔
14  梁
15  側板
16  連結ブラケット
17  掘削用の爪
18  開孔
19  開孔
２  本例のスケルトンバケット
21  バケット本体
22  底板
23  開孔
24  梁
25  側板
26  連結ブラケット
27  掘削用の爪
28  開孔
29  開孔
３  建設機械のアーム
【図１】
2009215735.tif 000003
【図２】
2009215735.tif 000004
【図３】
2009215735.tif 000005
【図４】
2009215735.tif 000006
【図５】
2009215735.tif 000007
【図６】
2009215735.tif 000008
【図７】
2009215735.tif 000009
【図８】
2009215735.tif 000010
【図９】
2009215735.tif 000011
【図１０】
2009215735.tif 000012